(57)【要約】【課題】音声取得手段を装着する装着者が電話を使用して会話しているか否かを把握することができる音声解析装置等を提供する。【解決手段】音声を取得し装着者の発話音声と装着者以外の他者の発話音声とを識別するための第１マイクロフォン１１、第２マイクロフォン１２により取得された音声の音声に関する情報を受信するデータ受信部２１と、第１マイクロフォン１１、第２マイクロフォン１２により取得された音声が装着者の発話音声であるか他者の発話音声であるかを識別した情報である自他識別情報を使用して、装着者が電話を使用して会話しているか否かを判定するデータ解析部２３と、を備えたことを特徴とするホスト装置２０。【選択図】図１
2014048618.tif 000002
【特許請求の範囲】
【請求項１】
音声を取得し装着者の発話音声と装着者以外の他者の発話音声とを識別するための音声取得手段により取得された音声の、当該音声に関する情報を取得する音声情報取得部と、
前記音声取得手段により取得された音声が前記装着者の発話音声であるか他者の発話音声であるかを識別した情報である自他識別情報を使用して、当該装着者が電話を使用して会話しているか否かを判定する判定部と、
を備えたことを特徴とする音声解析装置。
【請求項２】
前記判定部は、前記音声情報取得部が、前記音声取得手段により取得された予め定められた会話パターンに適合する前記装着者の発話音声に関する情報を取得するとともに、当該装着者の発話音声が到達する場所で当該会話パターンに同調する他者の発話音声に関する情報を取得しないときに当該装着者が電話を使用して会話をしていると判定することを特徴とする請求項１に記載の音声解析装置。
【請求項３】
前記音声情報取得部は、前記装着者の発話音声が到達しない場所にいる第２の装着者の発話音声と第２の装着者以外の他者の発話音声との識別を可能とする第２の音声取得手段により取得された音声の音声に関する情報をさらに取得し、
前記判定部は、前記音声情報取得部が、前記音声取得手段により取得された予め定められた会話パターンに適合する前記装着者の発話音声に関する情報を取得するとともに、前記第２の音声取得手段により取得された当該会話パターンに同調する前記第２の装着者の発話音声に関する情報を取得するときに、当該装着者と当該第２の装着者とが電話を使用して会話していると判定することを特徴とする請求項１に記載の音声解析装置。
【請求項４】
前記判定部は、前記音声情報取得部が、前記音声取得手段により取得された予め定められた会話パターンに適合する前記装着者の発話音声に関する情報を取得するとともに、当該会話パターンに同調する他者の発話音声に関する情報を取得し、当該装着者の発話音声が到達する場所で当該他者の発話音声を自己発話とする音声に関する情報を取得しないときは、当該装着者が電話会議をしているとさらに判定することを特徴とする請求項１に記載の音声解析装置。
【請求項５】
前記音声情報取得部は、前記装着者の発話音声が到達しない場所にいる第２の装着者の発話音声と第２の装着者以外の他者の発話音声との識別を可能とする第２の音声取得手段により取得された音声の音声に関する情報をさらに取得し、
前記判定部は、前記音声情報取得部が、前記音声取得手段により取得された予め定められた会話パターンに適合する前記装着者の発話音声に関する情報と当該会話パターンに同調する前記第２の装着者の発話音声に関する情報とを取得するとともに、前記第２の音声取得手段により取得された予め定められた会話パターンに適合する前記第２の装着者の発話音声に関する情報と当該会話パターンに同調する前記装着者の発話音声に関する情報とを取得するときは、当該装着者と当該第２の装着者とが電話会議をしているとさらに判定することを特徴とする請求項１に記載の音声解析装置。
【請求項６】
装着者に装着され、音声を取得する音声取得手段と、
前記音声取得手段が取得した音声が、装着者の発話音声であるか装着者以外の他者の発話音声であるかを識別した自他識別情報を生成する自他識別部と、
前記自他識別部により生成された自他識別情報を使用して、当該装着者が電話を使用して会話しているか否かを判定する判定部と、
を備えたことを特徴とする音声解析システム。
【請求項７】
コンピュータに、
音声を取得し装着者の発話音声と装着者以外の他者の発話音声とを識別するための音声取得手段により取得された音声の、当該音声に関する情報を取得する機能と、
前記音声取得手段により取得された音声が前記装着者の発話音声であるか他者の発話音声であるかを識別した情報である自他識別情報を使用して、当該装着者が電話を使用して会話しているか否かを判定する機能と、
を実現させるプログラム。
【発明の詳細な説明】
【技術分野】
【０００１】
本発明は、音声解析装置、音声解析システム、プログラムに関する。
【背景技術】
【０００２】
特許文献１には、話者検出回路は、マイクロフォンに入力された音声帯域信号から特定の帯域の成分を取り出すろ波器と、ろ波器が出力する特定帯域の音声帯域信号のレベルを検出して、音声帯域信号のレベルと所定の閾値とを比較するマイク検出部とを備えて構成し、テレビ会議装置は、話者検出回路の出力信号によってカメラを制御する構成を備えて構成するものが開示されている。
特許文献２には、メイン処理が実行され、話し手の発話が検出された場合、取得された音声データの音量レベルが検出され、次いで、音量レベルが閾値より小さいか否かが判断される。そして音量レベルが閾値より小さい場合、音声データに基づいて音声認識によるテキスト化が行われる。さらに音声認識による音声テキスト化が成功した場合、テキストデータが他の通信制御装置に対して送信され、再度、話し手の発話が検出される処理が行われる通信制御装置が開示されている。
特許文献３には、ケプストラム分析手段の結果に基づき、ピーク検出手段でピークが検出された後、音声判別手段で音声部分が判別され、このとき記憶手段にあらかじめ話者固有のケプストラムピーク検出信号を記憶しておき、以後の音声入力と照合して得る最ゆう検出信号によって音声判別を行なう音声信号処理装置が開示されている。
【先行技術文献】
【特許文献】
【０００３】
【特許文献１】特開平９−１６３３３４号公報
【特許文献２】特開２０１０−２３２７８０号公報
【特許文献３】特開平４−２３０７９６号公報
【発明の概要】
【発明が解決しようとする課題】
【０００４】
ここで音声取得手段を装着する装着者が、電話を使用して会話しているか否かを把握できることが望ましい。
【課題を解決するための手段】
【０００５】
請求項１に記載の発明は、音声を取得し装着者の発話音声と装着者以外の他者の発話音声とを識別するための音声取得手段により取得された音声の、当該音声に関する情報を取得する音声情報取得部と、前記音声取得手段により取得された音声が前記装着者の発話音声であるか他者の発話音声であるかを識別した情報である自他識別情報を使用して、当該装着者が電話を使用して会話しているか否かを判定する判定部と、を備えたことを特徴とする音声解析装置である。
【０００６】
請求項２に記載の発明は、前記判定部は、前記音声情報取得部が、前記音声取得手段により取得された予め定められた会話パターンに適合する前記装着者の発話音声に関する情報を取得するとともに、当該装着者の発話音声が到達する場所で当該会話パターンに同調する他者の発話音声に関する情報を取得しないときに当該装着者が電話を使用して会話をしていると判定することを特徴とする請求項１に記載の音声解析装置である。
【０００７】
請求項３に記載の発明は、前記音声情報取得部は、前記装着者の発話音声が到達しない場所にいる第２の装着者の発話音声と第２の装着者以外の他者の発話音声との識別を可能とする第２の音声取得手段により取得された音声の音声に関する情報をさらに取得し、前記判定部は、前記音声情報取得部が、前記音声取得手段により取得された予め定められた会話パターンに適合する前記装着者の発話音声に関する情報を取得するとともに、前記第２の音声取得手段により取得された当該会話パターンに同調する前記第２の装着者の発話音声に関する情報を取得するときに、当該装着者と当該第２の装着者とが電話を使用して会話していると判定することを特徴とする請求項１に記載の音声解析装置である。
【０００８】
請求項４に記載の発明は、前記判定部は、前記音声情報取得部が、前記音声取得手段により取得された予め定められた会話パターンに適合する前記装着者の発話音声に関する情報を取得するとともに、当該会話パターンに同調する他者の発話音声に関する情報を取得し、当該装着者の発話音声が到達する場所で当該他者の発話音声を自己発話とする音声に関する情報を取得しないときは、当該装着者が電話会議をしているとさらに判定することを特徴とする請求項１に記載の音声解析装置である。
【０００９】
請求項５に記載の発明は、前記音声情報取得部は、前記装着者の発話音声が到達しない場所にいる第２の装着者の発話音声と第２の装着者以外の他者の発話音声との識別を可能とする第２の音声取得手段により取得された音声の音声に関する情報をさらに取得し、前記判定部は、前記音声情報取得部が、前記音声取得手段により取得された予め定められた会話パターンに適合する前記装着者の発話音声に関する情報と当該会話パターンに同調する前記第２の装着者の発話音声に関する情報とを取得するとともに、前記第２の音声取得手段により取得された予め定められた会話パターンに適合する前記第２の装着者の発話音声に関する情報と当該会話パターンに同調する前記装着者の発話音声に関する情報とを取得するときは、当該装着者と当該第２の装着者とが電話会議をしているとさらに判定することを特徴とする請求項１に記載の音声解析装置である。
【００１０】
請求項６に記載の発明は、装着者に装着され、音声を取得する音声取得手段と、前記音声取得手段が取得した音声が、装着者の発話音声であるか装着者以外の他者の発話音声であるかを識別した自他識別情報を生成する自他識別部と、前記自他識別部により生成された自他識別情報を使用して、当該装着者が電話を使用して会話しているか否かを判定する判定部と、を備えたことを特徴とする音声解析システムである。
【００１１】
請求項７に記載の発明は、コンピュータに、音声を取得し装着者の発話音声と装着者以外の他者の発話音声とを識別するための音声取得手段により取得された音声の、当該音声に関する情報を取得する機能と、前記音声取得手段により取得された音声が前記装着者の発話音声であるか他者の発話音声であるかを識別した情報である自他識別情報を使用して、当該装着者が電話を使用して会話しているか否かを判定する機能と、を実現させるプログラムである。
【発明の効果】
【００１２】
請求項１の発明によれば、音声取得手段を装着する装着者が電話を使用して会話しているか否かを把握することができる音声解析装置を提供できる。
請求項２の発明によれば、本構成を採用しない場合に比較して、音声取得手段を装着する装着者が電話をしているか否かを判定するのがより容易になる。
請求項３の発明によれば、音声取得手段を装着する二人の装着者が電話を使用して会話していることが判定できる。
請求項４の発明によれば、音声取得手段を装着する装着者が電話会議中であることが判定できる。
請求項５の発明によれば、音声取得手段を装着する二人の装着者が電話会議において会話していることが判定できる。
請求項６の発明によれば、音声取得手段を装着する装着者が電話を使用して会話しているか否かを把握することができる音声解析システムを提供できる。
請求項７の発明によれば、音声取得手段を装着する装着者が電話を使用して会話しているか否かを把握することができる機能をコンピュータにより実現できる。
【図面の簡単な説明】
【００１３】
【図１】本実施形態による音声解析システムの構成例を示す図である。
【図２】本実施形態における端末装置の構成例を示す図である。
【図３】装着者および他者の口（発声部位）と、マイクロフォンとの位置の関係を示す図である。
【図４】マイクロフォンと音源との間の距離と音圧（入力音量）との関係を示す図である。
【図５】装着者自身の発話音声と他者の発話音声の識別方法を示す図である。
【図６】本実施形態における端末装置の動作を示すフローチャートである。
【図７】本実施形態の端末装置をそれぞれ装着した複数の装着者が会話している状況を示す図である。
【図８】図７の会話状況における各端末装置の発話情報の例を示す図である。
【図９】装着者が電話を使用して他者と会話しているときの端末装置の発話情報の例を示す図である。
【図１０】二人の装着者が電話を使用して会話しているときの端末装置の発話情報の例を示す図である。
【図１１】装着者が電話会議において他者と会話しているときの端末装置の発話情報の例を示す図である。
【図１２】二人の装着者が電話会議において会話しているときの端末装置の発話情報の例を示す図である。
【図１３】本実施形態におけるホスト装置の動作を示すフローチャートである。
【発明を実施するための形態】
【００１４】
＜システム構成例＞
図１は、本実施形態による音声解析システムの構成例を示す図である。
図１に示すように、本実施形態の音声解析システム１は、端末装置１０と、音声解析装置の一例であるホスト装置２０とを備えて構成される。端末装置１０とホスト装置２０とは、無線通信回線を介して接続されている。無線通信回線の種類としては、Ｗｉ−Ｆｉ（Wireless Fidelity）、Bluetooth（登録商標）、ZigBee、ＵＷＢ（Ultra Wideband）等の既存の方式による回線を用いて良い。また、図示の例では、端末装置１０が１台のみ記載されているが、端末装置１０は、使用者各人が装着して使用するものであり、実際には使用者数分の端末装置１０が用意される。以下、端末装置１０を装着した使用者を装着者と呼ぶ。
【００１５】
端末装置１０は、音声を取得し装着者の発話音声と装着者以外の他者の発話音声とを識別するための音声取得手段としての複数のマイクロフォン（第１マイクロフォン１１および第２マイクロフォン１２）と、増幅器（第１増幅器１３および第２増幅器１４）とを備える。また、端末装置１０は、取得した音声を解析する音声解析部１５と、解析結果をホスト装置２０に送信するためのデータ送信部１６とを備え、さらに電源部１７とを備える。
【００１６】
第１マイクロフォン１１と第２マイクロフォン１２は、装着者の口（発声部位）からの距離が異なる位置に配される。ここでは、第１マイクロフォン１１は装着者の口（発声部位）から遠い位置（例えば、３５ｃｍ程度）に配置され、第２マイクロフォン１２は装着者の口（発声部位）に近い位置（例えば、１０ｃｍ程度）に配置されるものとする。本実施形態の第１マイクロフォン１１および第２マイクロフォン１２として用いられるマイクロフォンの種類としては、ダイナミック型、コンデンサ型等、既存の種々のものを用いて良い。とくに無指向性のＭＥＭＳ（Micro Electro Mechanical Systems）型マイクロフォンが好ましい。
【００１７】
第１増幅器１３および第２増幅器１４は、それぞれ第１マイクロフォン１１および第２マイクロフォン１２が取得した音声に応じて出力する電気信号（音声信号）を増幅する。本実施形態の第１増幅器１３および第２増幅器１４として用いられる増幅器としては、既存のオペアンプ等を用いて良い。
【００１８】
音声解析部１５は、第１増幅器１３および第２増幅器１４から出力された音声信号を解析する。そして、第１マイクロフォン１１および第２マイクロフォン１２で取得した音声が端末装置１０を装着した装着者自身が発話した音声か、他者の発話による音声かを識別する。音声識別のための具体的な処理の内容については後述する。
【００１９】
データ送信部１６は、音声解析部１５による解析結果を含む取得データと端末ＩＤを、上記の無線通信回線を介して、あるいは無線通信回線に加えてインターネット等の有線通信回線を経由してホスト装置２０へ送信する。ホスト装置２０へ送信する情報としては、ホスト装置２０において行われる処理の内容に応じて、上記の解析結果の他、例えば、第１マイクロフォン１１および第２マイクロフォン１２による音声の取得時刻、取得音声の音圧等の情報を含めて良い。また端末装置１０に音声解析部１５による解析結果を蓄積するデータ蓄積部を設け、一定期間の保存データを一括送信しても良い。なお有線通信回線のみで送信しても良い。
【００２０】
電源部１７は、上記の第１マイクロフォン１１、第２マイクロフォン１２、第１増幅器１３、第２増幅器１４、音声解析部１５およびデータ送信部１６に電力を供給する。電源としては、例えば乾電池や充電池等の既存の電源が用いられる。また、電源部１７は、必要に応じて、電圧変換回路および充電制御回路等の周知の回路を含む。
【００２１】
ホスト装置２０は、端末装置１０から送信されたデータを受信するデータ受信部２１と、受信したデータを蓄積するデータ蓄積部２２と、蓄積したデータを解析するデータ解析部２３と、解析結果を出力する出力部２４とを備える。このホスト装置２０は、例えばパーソナルコンピュータ等の情報処理装置により実現される。また、本実施形態では複数台の端末装置１０が使用された場合には、ホスト装置２０は、その複数台の端末装置１０の各々からデータを受信する。なお、端末装置１０とホスト装置２０の間にデータ転送を中継する中継装置を介しても良く、この中継装置が解析、演算、時刻や中継装置ＩＤ等のデータを加える機能を有してもよい。
【００２２】
データ受信部２１は、各端末装置１０、あるいは中継装置からデータを受信してデータ蓄積部２２へ送る。本実施形態ではデータ受信部２１は、第１マイクロフォン１１および第２マイクロフォン１２により取得された音声の音声に関する情報を取得する音声情報取得部として機能する。データ蓄積部２２は、例えばパーソナルコンピュータの磁気ディスク装置等の記憶装置により実現され、データ受信部２１から取得した受信データを発話者別に蓄積する。ここで、発話者の識別は、端末装置１０から送信される端末ＩＤと、あらかじめホスト装置２０に登録されている発話者名と端末ＩＤの照合により行う。また、端末装置１０から端末ＩＤのかわりに装着者状態を送信するようにしてもよい。
【００２３】
データ解析部２３は、例えばパーソナルコンピュータのプログラム制御されたＣＰＵにより実現され、データ蓄積部２２に蓄積されたデータを解析する。具体的な解析内容および解析手法は、本実施形態のシステムの利用目的や利用態様に応じて種々の内容および手法を取り得る。例えば、端末装置１０の装着者どうしの対話頻度や各装着者の対話相手の傾向を分析したり、対話における個々の発話の長さや音圧の情報から対話者の関係を類推したりすることが行われる。詳しくは後述するが、本実施の形態では、データ解析部２３は、判定部の一例であり、装着者と他者との会話関係を判定する。また特に会話関係として装着者が電話を使用して会話しているか否かを判定する。
【００２４】
出力部２４は、データ解析部２３による解析結果を出力したり、解析結果に基づく出力を行ったりする。この解析結果等を出力する手段は、システムの利用目的や利用態様、解析結果の内容や形式等に応じて、ＷＥＢ表示、ディスプレイ表示、プリンタによる印刷出力、音声出力等、種々の手段を取り得る。
【００２５】
＜端末装置の構成例＞
図２は、端末装置１０の構成例を示す図である。
上記のように、端末装置１０は、各使用者に装着されて使用される。使用者が装着可能とするため、本実施形態の端末装置１０は、図２に示すように、装置本体３０と、装置本体３０に接続された提げ紐４０とを備えた構成とする。図示の構成において、使用者は、提げ紐４０に首を通し、装置本体３０を首から提げて装着する。
【００２６】
装置本体３０は、金属や樹脂等で形成された薄い直方体のケース３１に、少なくとも第１増幅器１３、第２増幅器１４、音声解析部１５、データ送信部１６および電源部１７を実現する回路と電源部１７の電源（電池）とを収納して構成される。ケース３１には、装着者の氏名や所属等のＩＤ情報を表示したＩＤカード等を挿入するポケットを設けても良い。また、ケース３１自体の表面にそのようなＩＤ情報等を印刷したり、ＩＤ情報等を記載したシールを貼り付けたりしても良い。
【００２７】
提げ紐４０には、第１マイクロフォン１１および第２マイクロフォン１２が設けられる（以下、第１マイクロフォン１１と第２マイクロフォン１２とを区別しない場合には、マイクロフォン１１、１２と記載）。マイクロフォン１１、１２は、提げ紐４０の内部を通るケーブル（電線等）により、装置本体３０に収納された第１増幅器１３、第２増幅器１４に接続される。提げ紐４０の材質としては、革、合成皮革、木綿その他の天然繊維や樹脂等による合成繊維、金属等、既存の種々の材質を用いて良い。また、シリコン樹脂やフッ素樹脂等を用いたコーティング処理が施されていても良い。
【００２８】
この提げ紐４０は、筒状の構造を有し、提げ紐４０の内部にマイクロフォン１１、１２を収納している。マイクロフォン１１、１２を挙げ紐４０の内部に設けることにより、マイクロフォン１１、１２の損傷や汚れを防ぎ、対話者がマイクロフォン１１、１２の存在を意識することが抑制される。なお、装着者の口（発声部位）から遠い位置に配置される第１マイクロフォン１１は、装置本体３０に設けても良い。本実施形態では、第１マイクロフォン１１が提げ紐４０に設けられる場合を例として説明する。
【００２９】
図２を参照すると、第１マイクロフォン１１は、提げ紐４０の装置本体３０に接続される端部（例えば、接続部位から１０ｃｍ以内の位置）に設けられている。これにより、装着者が提げ紐４０を首に掛けて装置本体３０を下げた状態で、第１マイクロフォン１１は、装着者の口（発声部位）から約３０ｃｍから４０ｃｍ程度離れた位置に配置される。なお、第１マイクロフォン１１が装置本体３０に設けられた場合も、装着者の口（発声部位）から第１マイクロフォン１１までの距離は同程度である。
【００３０】
第２マイクロフォン１２は、提げ紐４０の装置本体３０に接続される端部から離れた位置（例えば、接続部位から２０ｃｍ〜３０ｃｍ程度の位置）に設けられている。これにより、装着者が提げ紐４０を首に掛けて装置本体３０を下げた状態で、第２マイクロフォン１２は、装着者の首元（例えば鎖骨に当たる位置）に位置し、装着者の口（発声部位）から約１０ｃｍから２０ｃｍ程度離れた位置に配置される。
【００３１】
なお、本実施形態の端末装置１０は、図２に示す構成に限定されるものではない。例えば、マイクロフォン１１、１２は、第１マイクロフォン１１から装着者の口（発声部位）までの音波到達経路の距離が第２マイクロフォン１２から装着者の口（発声部位）までの音波到達経路の距離の数倍程度となるように、第１マイクロフォン１１と第２マイクロフォン１２の位置関係が特定されれば良い。したがって、第１マイクロフォンを首の後ろ側の提げ紐４０に設けても良い。また、マイクロフォン１１、１２は、上記のように提げ紐４０に設ける構成に限らず、種々の方法で装着者に装着して良い。例えば、第１マイクロフォン１１と第２マイクロフォン１２の各々を、個別にピン等を用いて衣服に固定するように構成しても良い。また、第１マイクロフォン１１と第２マイクロフォン１２の位置関係が所望の位置で固定されるようにデザインされた専用の装着具を用意して装着しても良い。
【００３２】
また、装置本体３０は、図２に示したように、提げ紐４０に接続されて装着者の首から提げられる構成に限らず、携帯することが容易な装置として構成されていれば良い。例えば、本実施形態のような提げ紐ではなく、クリップやベルトにより衣服や体に装着するように構成しても良いし、単にポケット等に納めて携帯するような構成としても良い。また、携帯電話その他の既存の携帯型電子情報端末に、マイクロフォン１１、１２からの音声信号を受け付けて増幅し、解析する機能を実現させても良い。
【００３３】
さらにまた、マイクロフォン１１、１２と装置本体３０（あるいは音声解析部１５）を有線で接続するのではなく、無線通信により接続しても良い。第１増幅器１３、第２増幅器１４、音声解析部１５、データ送信部１６および電源部１７は、上記の構成例では単一のケース３１に収納されることとしたが、複数の個体として構成しても良い。例えば、電源部１７をケース３１に収納せず、外部電源に接続して使用する構成としても良い。
【００３４】
＜取得音声の非言語情報に基づく発話者（自他）の識別＞
次に、本実施形態における発話者の識別方法について説明する。
本実施形態のシステムは、端末装置１０に設けられた２つのマイクロフォン１１、１２により取得された音声の情報を用いて、端末装置１０の装着者自身の発話（自己発話）音声と他者の発話音声とを識別する。言い換えれば、本実施形態は、取得音声の発話者に関して自他の別を識別する。また、本実施形態では、取得音声の情報のうち、形態素解析や辞書情報を用いて得られる言語情報ではなく、音圧（マイクロフォン１１、１２への入力音量）等の非言語情報に基づいて発話者を識別する。言い換えれば、言語情報により特定される発話内容ではなく、非言語情報により特定される発話状況から音声の発話者を識別する。
【００３５】
図１および図２を参照して説明したように、本実施形態において、端末装置１０の第１マイクロフォン１１は装着者の口（発声部位）から遠い位置に配置され、第２マイクロフォン１２は装着者の口（発声部位）に近い位置に配置される。すなわち、装着者の口（発声部位）を音源とすると、第１マイクロフォン１１と音源との間の距離と、第２マイクロフォン１２と音源との間の距離が大きく異なる。具体的には、第１マイクロフォン１１と音源との間の距離は、第２マイクロフォン１２と音源との間の距離の１．５〜４倍程度である。ここで、マイクロフォン１１、１２における取得音声の音圧は、マイクロフォン１１、１２と音源との間の距離が大きくなるにしたがって減衰（距離減衰）する。したがって、装着者の発話音声に関して、第１マイクロフォン１１における取得音声の音圧と第２マイクロフォン１２における取得音声の音圧とは大きく異なる。
【００３６】
一方、装着者以外の者（他者）の口（発声部位）を音源とした場合を考えると、その他者が装着者から離れているため、第１マイクロフォン１１と音源との間の距離と、第２マイクロフォン１２と音源との間の距離は、大きく変わらない。装着者に対する他者の位置によっては、両距離の差は生じ得るが、装着者の口（発声部位）を音源とした場合のように、第１マイクロフォン１１と音源との間の距離が第２マイクロフォン１２と音源との間の距離の数倍となることはない。したがって、他者の発話音声に関して、第１マイクロフォン１１における取得音声の音圧と第２マイクロフォン１２における取得音声の音圧とは、装着者の発話音声の場合のように大きく異なることはない。
【００３７】
図３は、装着者および他者の口（発声部位）と、マイクロフォン１１、１２との位置の関係を示す図である。
図３に示す関係において、装着者の口（発声部位）である音源ａと第１マイクロフォン１１との間の距離をＬａ１、音源ａと第２マイクロフォン１２との間の距離をＬａ２とする。また、他者の口（発声部位）である音源ｂと第１マイクロフォン１１との間の距離をＬｂ１、音源ｂと第２マイクロフォン１２との間の距離をＬｂ２とする。この場合、次の関係が成り立つ。
Ｌａ１＞Ｌａ２（Ｌａ１≒１．５×Ｌａ２〜４×Ｌａ２）
Ｌｂ１≒Ｌｂ２
【００３８】
図４は、マイクロフォン１１、１２と音源との間の距離と音圧（入力音量）との関係を示す図である。
上述したように、音圧は、マイクロフォン１１、１２と音源との間の距離に応じて距離減衰する。図４において、距離Ｌａ１の場合の音圧Ｇａ１と距離Ｌａ２の場合の音圧Ｇａ２とを比較すると、音圧Ｇａ２は、音圧Ｇａ１の４倍程度となっている。一方、距離Ｌｂ１と距離Ｌｂ２とが近似するため、距離Ｌｂ１の場合の音圧Ｇｂ１と距離Ｌｂ２の場合の音圧Ｇｂ２とは、ほぼ等しい。そこで、本実施形態では、この音圧比の差を用いて、取得音声における装着者自身の発話音声と他者の発話音声とを識別する。なお、図４に示した例では、距離Ｌｂ１、Ｌｂ２を６０ｃｍとしたが、ここでは音圧Ｇｂ１と音圧Ｇｂ２とがほぼ等しくなることに意味があり、距離Ｌｂ１、Ｌｂ２は図示の値に限定されない。
【００３９】
図５は、装着者自身の発話音声と他者の発話音声の識別方法を示す図である。
図４を参照して説明したように、装着者自身の発話音声に関して、第２マイクロフォン１２の音圧Ｇａ２は、第１マイクロフォン１１の音圧Ｇａ１の数倍（例えば４倍程度）である。また、他者の発話音声に関して、第２マイクロフォン１２の音圧Ｇａ２は、第１マイクロフォン１１の音圧Ｇａ１とほぼ等しい（１倍程度）。そこで、本実施形態では、第２マイクロフォン１２の音圧と第１マイクロフォン１１の音圧との比に閾値を設定する。そして、音圧比が閾値よりも大きい音声は装着者自身の発話音声と判断し、音圧比が閾値よりも小さい音声は他者の発話音声と判断する。図５に示す例では、閾値を２とし、音圧比Ｇａ２／Ｇａ１は閾値２を超えるので装着者自身の発話音声と判断され、音圧比Ｇｂ２／Ｇｂ１は閾値２よりも小さいので他者の発話音声と判断されている。
【００４０】
ところで、マイクロフォン１１、１２により取得される音声には、発話音声の他に、環境音等のいわゆる雑音（ノイズ）が含まれる。この雑音の音源とマイクロフォン１１、１２との間の距離の関係は、他者の発話音声の場合と類似する。すなわち、図４、図５に示した例によれば、雑音の音源ｃと第１マイクロフォン１１との間の距離をＬｃ１とし、雑音の音源ｃと第２マイクロフォン１２との間の距離をＬｃ２とすると、距離Ｌｃ１と距離Ｌｃ２とは近似する。そして、マイクロフォン１１、１２の取得音声における音圧比Ｇｃ２／Ｇｃ１は、閾値２よりも小さくなる。しかし、このような雑音は、バンドパスフィルタやゲインフィルタ等を用いた既存の技術によるフィルタリング処理を行うことにより発話音声から分離され、除去される。
【００４１】
＜端末装置の動作例＞
図６は、本実施形態における端末装置１０の動作を示すフローチャートである。
図６に示すように、端末装置１０のマイクロフォン１１、１２が音声を取得すると、各マイクロフォン１１、１２から取得音声に応じた電気信号（音声信号）が第１増幅器１３および第２増幅器１４へ送られる（ステップ１０１）。第１増幅器１３および第２増幅器１４は、マイクロフォン１１、１２からの音声信号を取得すると、信号を増幅して音声解析部１５へ送る（ステップ１０２）。
【００４２】
音声解析部１５は、第１増幅器１３および第２増幅器１４で増幅された信号に対してフィルタリング処理を行い、信号から環境音等の雑音（ノイズ）の成分を除去する（ステップ１０３）。次に、音声解析部１５は、雑音成分が除かれた信号に対し、一定の時間単位（例えば、数十分の一秒〜数百分の一秒）毎に、各マイクロフォン１１、１２の取得音声における平均音圧を求める（ステップ１０４）。そして、第１マイクロフォン１１における平均音圧と第２マイクロフォン１２における平均音圧との比（音圧比）を求める（ステップ１０５）。
【００４３】
次に、音声解析部１５は、ステップ１０４で求めた各マイクロフォン１１、１２における平均音圧の利得が有る場合（ステップ１０５でＹｅｓ）、発話音声が有る（発話が行われた）と判断する。そして、ステップ１０６で求めた音圧比が閾値よりも大きい場合（ステップ１０７でＹｅｓ）、音声解析部１５は、発話音声は装着者自身の発話による音声であると判断する（ステップ１０８）。また、ステップ１０５で求めた音圧比が閾値よりも小さい場合（ステップ１０７でＮｏ）、音声解析部１５は、発話音声は他者の発話による音声であると判断する（ステップ１０９）。一方、ステップ１０４で求めた各マイクロフォン１１、１２における平均音圧の利得が無い場合（ステップ１０５でＮｏ）、音声解析部１５は、発話音声が無い（発話が行われていない）と判断する（ステップ１１０）。
【００４４】
この後、音声解析部１５は、データ送信部１６を介して、ステップ１０４〜ステップ１１０の処理で得られた情報（発話の有無、発話者の情報）を解析結果としてホスト装置２０へ送信させる（ステップ１１１）。このとき、発話者毎（装着者自身または他者）の発話時間の長さや平均音圧の利得の値、その他の付加情報を解析結果と共にホスト装置２０へ送信させても良い。
【００４５】
なお、本実施形態では、第１マイクロフォン１１の音圧と第２マイクロフォン１２の音圧とを比較することにより、発話音声が装着者自身の発話による音声か他者の発話による音声かを判断した。しかし、本実施形態による発話者の識別は、マイクロフォン１１、１２により取得された音声信号そのものから抽出される非言語情報に基づいて行うものであれば良く、音圧の比較には限定されない。例えば、第１マイクロフォン１１における音声取得時刻（音声信号の出力時刻）と第２マイクロフォン１２における音声取得時刻とを比較しても良い。この場合、装着者自身の発話音声は、装着者の口（発声部位）から第１マイクロフォン１１までの距離と、装着者の口（発声部位）から第２マイクロフォン１２までの距離との差が大きいため、音声取得時刻にある程度の差（時間差）が生じる。一方、他者の発話音声は、装着者の口（発声部位）から第１マイクロフォン１１までの距離と、装着者の口（発声部位）から第２マイクロフォン１２までの距離との差が小さいため、装着者の発話音声の場合よりも音声取得時刻の時間差が小さい。そこで、音声取得時刻の時間差に対して閾値を設定し、音声取得時刻の時間差が閾値よりも大きい場合には装着者自身の発話と判断し、音声取得時刻の時間差が閾値よりも小さい場合には他者の発話と判断するようにしても良い。
【００４６】
ホスト装置２０のデータ受信部２１では、マイクロフォン１１、１２により取得された音声が装着者の発話音声であるか装着者以外の他者の発話音声であるかを識別した情報である自他識別情報を含む音声に関する情報を受信する。
【００４７】
＜装着者の会話関係の判定についての説明＞
音声に関する情報を受信した端末装置１０では、データ解析部２３において複数の端末装置１０から送られた音声が解析され、装着者の会話関係が判定される。
以下に本実施の形態における装着者の会話関係を判定する具体的な方法について説明を行なう。ここではまず同一の部屋内等の同一のエリアにおいて二人の装着者が会話を行なっている場合に、この二人の装着者が会話をしていることを判定する場合について説明する。
【００４８】
図７は、本実施形態の端末装置１０をそれぞれ装着した二人の装着者が会話している状況を示す図である。図８は、図７の会話状況における各端末装置１０の発話情報の例を示す図である。なお説明の便宜上、ここでは二人のうち一方の装着者を装着者Ａとし、装着者Ａが装着する端末装置１０を端末装置１０Ａとする。また他方の装着者を装着者Ｂとし、装着者Ｂが装着する端末装置１０を端末装置１０Ｂとする。
図７に示すように、端末装置１０をそれぞれ装着した装着者Ａ、装着者Ｂが会話している場合を考える。このとき、装着者Ａおよび装着者Ｂは同一エリア内におり、互いの発話音声が届く距離にある。よって装着者Ａ、装着者Ｂの発話音声は、装着者Ａの端末装置１０Ａと装着者Ｂの端末装置１０Ｂの双方に捉えられる。
【００４９】
端末装置１０Ａおよび端末装置１０Ｂからは、それぞれ独立に、発話情報がホスト装置２０に送られる。このとき、端末装置１０Ａから取得した発話情報と、端末装置１０Ｂから取得した発話情報とは、図８に示すように、発話時間の長さや発話者が切り替わったタイミング等の発話状況を示す情報は近似し、同調性があることがわかる。そこで、本適用例のホスト装置２０は、端末装置１０Ａから取得した情報と端末装置１０Ｂから取得した情報とを比較し、同調性を判定することにより、これらの情報が同じ発話状況を示していると判断し、装着者Ａと装着者Ｂとが会話していることを認識する。ここで、発話状況を示す情報としては、少なくとも、上述した発話者ごとの個々の発話における発話時間の長さ、個々の発話の開始時刻と終了時刻、発話者が切り替わった時刻（タイミング）等のように、発話に関する時間情報が用いられる。なお、特定の会話に係る発話状況を判断するために、これらの発話に関する時間情報の一部のみを用いても良いし、他の情報を付加的に用いても良い。
【００５０】
ここで装着者Ａの端末装置１０Ａにおいて装着者Ａの自己発話として認識される音声は、装着者Ｂの端末装置１０Ｂでは他者の発話として認識される。反対に、端末装置１０Ｂにおいて装着者Ｂの自己発話として認識される音声は、端末装置１０Ａでは他者の発話として認識される。そのため端末装置１０Ａから取得した発話情報と、端末装置１０Ｂから取得した発話情報とは、図７に示すように、発話者（装着者と他者）の識別結果は反対になるが、発話時間の長さや発話者が切り替わったタイミング等の発話状況を示す情報は近似する。そこで、本適用例のホスト装置２０は、端末装置１０Ａから取得した情報と端末装置１０Ｂから取得した情報とを比較することにより、これらの情報が同じ発話状況を示していると判断し、装着者Ａと装着者Ｂとが会話していることを認識することができる。
【００５１】
このように本実施の形態では、上述した自他識別情報を使用して、複数の端末装置１０からマイクロフォン１１、１２にて受信した音声の音声信号の同調性を判別する。
つまり自他識別情報が付与されることで、取得された音声が装着者自信によるものであるのか、装着者以外の他者のものであるのかが予め判別できているため、発話者が切り替わったタイミングなどが明確に把握できる。そしてこのタイミングにおいて発話者が逆転する装着者同士を見つければ、この装着者同士が会話をしていると判断できる。
【００５２】
ここで装着者Ａが電話を使用して他者と会話をしている場合を考える。このとき他者は、装着者Ａと同一エリア内にはおらず、互いの発話音声が直接届く距離にはない。そのため装着者Ａの発話音声は、装着者Ａの端末装置１０Ａにより捉えられるが、装着者Ａが会話をしている相手である他者の音声は、装着者Ａの端末装置１０Ａにより捉えることができない。
【００５３】
図９は、装着者Ａが電話を使用して他者と会話しているときの端末装置１０Ａの発話情報の例を示す図である。
図示するように装着者Ａの端末装置１０Ａでは、間欠的に装着者Ａの発話音声が捉えられ、これから装着者Ａの発話音声は、会話パターンに適合することがわかる。そして図８で説明したように、装着者Ａと会話をしている他者が同一エリア内にいれば、他者の発話音声は、装着者Ａの発話音声と同調し、例えば、点線のようなパターンとなって端末装置１０Ａに捉えられるはずである。しかしこのようなパターンの他者の発話音声は、端末装置１０Ａは捉えられない。
即ち、この場合は、ホスト装置２０のデータ受信部２１は、端末装置１０Ａから予め定められた会話パターンに適合する装着者Ａの発話音声に関する情報を取得するが、装着者Ａの音声が到達する場所である同一エリア内で装着者Ａの会話パターンに同調する他者の発話音声に関する情報は取得しない。本実施の形態では、このときホスト装置２０のデータ解析部２３は、装着者Ａが電話を使用して会話していると判定する。なおこの場合、装着者Ａの会話パターンに同調しない他者の会話パターンが装着者Ａの端末装置１０Ａにより捉えられてもよい。ただしこの場合は、この他者は、装着者Ａと会話をしている相手でないことは明らかである。
【００５４】
一方、装着者Ａが電話を使用して会話をしている他者が、端末装置１０を装着している場合は、装着者Ａの音声が到達しない場所である他の部屋等の他エリアにおいて、この発話音声を捉えることができる。ここでは、他エリアにおいて端末装置１０Ｂを装着者Ｂ（第２の装着者）が装着し、装着者Ａと装着者Ｂとが電話を使用して会話している状態を考える。
【００５５】
図１０は、装着者Ａと装着者Ｂとが電話を使用して会話しているときの端末装置１０Ａ、１０Ｂの発話情報の例を示す図である。
図示するように装着者Ａの端末装置１０Ａでは、間欠的に装着者Ａの発話音声が捉えられ、これから装着者Ａの発話音声は、会話パターンに適合することがわかる。また同様にして装着者Ｂの端末装置１０Ｂでも、間欠的に装着者Ｂの発話音声が捉えられ、これから装着者Ｂの発話音声は、会話パターンに適合することがわかる。そして装着者Ａと会話をしている相手である装着者Ｂの発話音声は、装着者Ａの発話音声と同調するパターンとなる。ただし、端末装置１０Ａでは、装着者Ａの発話音声と同調するパターンの他者の発話音声は、捉えられない。同様にして端末装置１０Ｂでも、装着者Ｂの発話音声と同調するパターンの他者の発話音声は、捉えられない。
即ち、この場合は、まず装着者Ａと装着者Ｂとは、互いの発話音声が到達しない場所にいる。そしてホスト装置２０のデータ受信部２１は、端末装置１０Ａのマイクロフォンにより取得された予め定められた会話パターンに適合する装着者Ａの発話音声に関する情報を取得するとともに、端末装置１０Ｂのマイクロフォン（第２の音声取得手段）により取得されたこの会話パターンに同調する装着者Ｂの発話音声に関する情報を取得する。本実施の形態では、このときホスト装置２０のデータ解析部２３は、装着者Ａと装着者Ｂとが電話を使用して会話していると判定する。なお装着者Ａと装着者Ｂが同一エリアに居ないことは、例えば、異なるデータ中継装置を介していることから判断できる。
【００５６】
次に装着者Ａが電話会議をしている場合を考える。このとき装着者Ａの発話音声は、装着者Ａの端末装置１０Ａにより捉えられる。そして装着者Ａが電話会議において会話をしている相手である他者の発話音声についても、装着者Ａの端末装置１０により捉えることができる。つまり他者の発話音声は、電話会議をするときに使用する電話会議装置のスピーカ等から出力されるため、この音声が、装着者Ａの端末装置１０Ａにより捉えられる。
【００５７】
図１１は、装着者Ａが電話会議において他者と会話しているときの端末装置１０Ａの発話情報の例を示す図である。
図示するように装着者Ａの発話情報と他者の発話情報とは、図８に示した場合と同様であり、同調性があることがわかる。ただし、図８の場合とは異なり、装着者Ａと会話をしている他者は、同一エリア内にいない。そのため端末装置１０Ａにおいて捉えられている他者の発話音声を自己発話と識別する端末装置１０は、同一エリア内には存在しないことになる。
即ち、この場合は、ホスト装置２０のデータ受信部２１は、端末装置１０Ａから予め定められた会話パターンに適合する装着者Ａの発話音声に関する情報を取得するとともに、この会話パターンに同調する他者の発話音声に関する情報を取得する。しかしデータ受信部２１は、装着者Ａの音声が到達する場所である同一エリア内でこの他者の発話音声を自己発話とする音声に関する情報を取得しない。本実施の形態では、このときホスト装置２０のデータ解析部２３は、装着者Ａが電話会議をしていると判定する。
【００５８】
一方、装着者Ａが電話会議において会話をしている他者が、端末装置１０を装着している場合は、装着者Ａの音声が到達しない場所である他の部屋等の他エリアにおいて、この発話音声を捉えることができる。ここでは、他エリアにおいて端末装置１０Ｂを装着者Ｂ（第２の装着者）が装着し、装着者Ａと装着者Ｂとが電話会議において会話している状態を考える。
【００５９】
図１２は、装着者Ａと装着者Ｂとが電話会議において会話しているときの端末装置１０Ａ、１０Ｂの発話情報の例を示す図である。
図示するように装着者Ａの端末装置１０Ａでは、装着者Ａの発話音声が自己発話として捉えられるとともに、これに同調する装着者Ｂの発話音声が他者の発話として捉えられる。また同様にして装着者Ｂの端末装置１０Ｂでは、装着者Ｂの発話音声が自己発話として捉えられるとともに、これに同調する装着者Ａの発話音声が他者の発話として捉えられる。即ち図８で説明した場合と同様となる。ただし、図８の場合とは異なり、装着者Ａと装着者Ｂは、同一エリア内にいない。そのため端末装置１０Ａにおいて捉えられている装着者Ｂの発話音声を自己発話と判断する端末装置１０は、同一エリア内には存在しない。さらに同様にして端末装置１０Ｂにおいて捉えられている装着者Ａの発話音声を自己発話と識別する端末装置１０は、同一エリア内には存在しない。
即ち、この場合は、まず装着者Ａと装着者Ｂとは、互いの発話音声が到達しない場所にいる。そしてホスト装置２０のデータ受信部２１は、端末装置１０Ａのマイクロフォンにより取得された予め定められた会話パターンに適合する装着者Ａの発話音声に関する情報とこの会話パターンに同調する装着者Ｂの発話音声に関する情報とを取得する。さらにデータ受信部２１は、端末装置１０Ｂのマイクロフォン（第２の音声取得手段）により取得された予め定められた会話パターンに適合する装着者Ｂの発話音声に関する情報とこの会話パターンに同調する装着者Ａの発話音声に関する情報とを取得する。本実施の形態では、このときホスト装置２０のデータ解析部２３は、装着者Ａと装着者Ｂとが電話会議をしていると判定する。
【００６０】
＜ホスト装置の動作例＞
図１３は、本実施形態におけるホスト装置２０の動作を示すフローチャートである。
以下、図１、図１３を使用して本実施形態のホスト装置２０の動作を説明する。
まずデータ受信部２１が、複数の端末装置１０から自他識別情報を含む音声の音声信号に関する情報を受信する（ステップ２０１）。そしてこの情報は、いったんデータ蓄積部２２に蓄積される（ステップ２０２）。
【００６１】
次にデータ解析部２３が、複数の装着者の端末装置１０から送られた音声を解析し、装着者の会話関係を判定する。
装着者の会話関係を判定には、まずデータ解析部２３は、端末装置１０から送信された自他識別情報を基にして、自己発話であると識別したものを検知する（ステップ２０３）。
次にデータ解析部２３は、自己発話であると検知した発話音声が、会話パターンに適合しているか否かを判断する（ステップ２０４）。具体的には、データ解析部２３は、自己発話である発話音声が間欠的に端末装置１０に取得されているか否かで判断が行なわれる。
そして会話パターンでない場合（ステップ２０４でＮｏ）、データ解析部２３は、この発話音声は、実際には雑音（ノイズ）であったと判定する（ステップ２０５）。
【００６２】
一方、会話パターンであった場合（ステップ２０４でＹｅｓ）は、データ解析部２３は、同一エリアにおいて、この発話音声に同調する発話音声があるか否かを判断する（ステップ２０６）。
そして同一エリアにおいて、同調する発話音声がなかった場合（ステップ２０６でＮｏ）、次にデータ解析部２３は、他エリアにおいて、この発話音声に同調する発話音声があるか否かを判断する（ステップ２０７）。
【００６３】
その結果、他エリアについても同調する発話音声がなかった場合（ステップ２０７でＮｏ）、データ解析部２３は、自己発話であると識別した端末装置１０の装着者（装着者Ａ）は、電話中であると判定する（ステップ２０８）。即ち、図９で説明した場合となる。
【００６４】
また他エリアについて同調する発話音声があった場合（ステップ２０７でＹｅｓ）、データ解析部２３は、自己発話であると識別した端末装置１０の装着者（装着者Ａ）と、これに同調する発話音声を取得した端末装置１０の装着者（装着者Ｂ）とは電話を使用して会話中であると判定する（ステップ２０９）。即ち、図１０で説明した場合となる。
なお電話を使用して会話をしている相手が、端末装置１０を装着している場合は、ステップ２０９の場合となる。そのためステップ２０８の場合は、電話を使用して会話をしている相手は端末装置１０を装着していないことになる。よって例えば、その相手が端末装置１０を装着しない社外の者である等の判定を併せて行なってもよい。
【００６５】
一方、同一エリアにおいて、同調する発話音声があった場合（ステップ２０６でＹｅｓ）、データ解析部２３は、次に同一エリアにこの発話音声を自己発話と識別する端末装置１０があるか否かを判断する（ステップ２１０）。
そして同一エリアにこの発話音声を自己発話と識別する端末装置１０がある場合（ステップ２１０でＹｅｓ）、データ解析部２３は、ステップ２０３で自己発話であると識別した端末装置１０の装着者（装着者Ａ）とステップ２１０で自己発話であると識別した端末装置１０の装着者（装着者Ｂ）とが、同一エリアにおいて対面により会話中であると判定する（ステップ２１１）。即ち、図７および図８で説明した場合となる。
【００６６】
また同一エリアにこの発話音声を自己発話と識別する端末装置１０がない場合（ステップ２１０でＮｏ）、データ解析部２３は、さらに他エリアにおいて、この発話音声に同調する発話音声があるか否かを判断する（ステップ２１２）。
【００６７】
その結果、他エリアについても同調する発話音声がなかった場合（ステップ２１２でＮｏ）、データ解析部２３は、自己発話であると識別した端末装置１０の装着者は、電話会議中であると判定する（ステップ２１３）。即ち、図１１で説明した場合となる。
また他エリアについて同調する発話音声があった場合（ステップ２１２でＹｅｓ）、データ解析部２３は、ステップ２０３で自己発話であると識別した端末装置１０の装着者（装着者Ａ）とステップ２１２で自己発話であると識別した端末装置１０の装着者（装着者Ｂ）とが電話会議をしていると判定する（ステップ２１４）。即ち、図１２で説明した場合となる。
【００６８】
以上のようにして端末装置１０を装着する装着者の会話関係を判定することで、それぞれの装着者におけるコミュニケーションの傾向を分析することができる。
また以上の方法により判定された装着者の会話関係を基にして、装着者が、「電話中」、「電話会議中」である等の情報を、例えばグループウェア上で公開することもできる。これにより各装着者の現在の状況をより的確に把握することができる。
【００６９】
なお以上詳述した音声解析システム１は、装着者に装着され、音声を取得するマイクロフォン１１、１２と、マイクロフォン１１、１２が取得した音声が、装着者の発話音声であるか装着者以外の他者の発話音声であるかを識別した自他識別情報を生成する自他識別部と、自他識別部により生成された自他識別情報を使用して、装着者が電話を使用して会話しているか否かを判定する判定部と、を備えたことを特徴とする音声解析システムとして捉えることもできる。上述した例では、自他識別部は、音声解析部１５により実現される。
【００７０】
なお上述した例では、音声の自他識別を行なうのを端末装置１０の側で行なっていたが、これに限られるものではなく、ホスト装置２０の側で行なってもよい。この形態における音声解析システム１としては、図１のものに対し、音声解析部１５で行なっていた音声の自他識別を、例えば、ホスト装置２０のデータ解析部２３で行なう。
また上述した例では、音声の自他識別を行なうのに端末装置１０を例に挙げたが、これに限られるものではなく、音声の自他識別を行なうことができるものであればよい。例えば、指向性のマイクロフォンを使用し、発話音声が来る方向に対し、指向性のマイクロフォンで取得される音圧が異なることを利用して、発話音声の自他識別を行なうこともできる。この場合、指向性のマイクロフォンが音声取得手段として機能する。
【００７１】
＜プログラムの説明＞
なお図１３で説明を行った本実施形態におけるホスト装置２０が行なう処理は、ソフトウェアとハードウェア資源とが協働することにより実現される。即ち、ホスト装置２０に設けられた制御用コンピュータ内部の図示しないＣＰＵが、ホスト装置２０の各機能を実現するプログラムを実行し、これらの各機能を実現させる。
【００７２】
よって図１３で説明を行ったホスト装置２０が行なう処理は、コンピュータに、音声を取得し装着者の発話音声と装着者以外の他者の発話音声との識別するためのマイクロフォンにより取得された音声の、音声に関する情報を取得する機能と、マイクロフォンにより取得された音声が装着者の発話音声であるか他者の発話音声であるかを識別した情報である自他識別情報を使用して、装着者が電話を使用して会話しているか否かを判定する機能と、を実現させるプログラムとして捉えることもできる。
【符号の説明】
【００７３】
１…音声解析システム、１０…端末装置、１５…音声解析部、１６…データ送信部、２０…ホスト装置、２１…データ受信部、２３…データ解析部、３０…装置本体
【図１】
2014048618.tif 000003
【図２】
2014048618.tif 000004
【図３】
2014048618.tif 000005
【図４】
2014048618.tif 000006
【図５】
2014048618.tif 000007
【図６】
2014048618.tif 000008
【図７】
2014048618.tif 000009
【図８】
2014048618.tif 000010
【図９】
2014048618.tif 000011
【図１０】
2014048618.tif 000012
【図１１】
2014048618.tif 000013
【図１２】
2014048618.tif 000014
【図１３】
2014048618.tif 000015